(57)【要約】【課題】  歩行中に着信があった場合等でも、携帯型通話機によって通話しながら容易にメモをとれるようにすること。【解決手段】  腕装着用通話機収納ケース１００は、携帯電話１０を収納するための通話機収納部１０３と、メモ用紙露出用の開口部５０２からメモ用紙３０を露出させた状態で収納するためのメモ用紙収納部５０１と、携帯型通話機出し入れ用の開口部５０３及びメモ用紙収納部５０１を被う第１位置と開口部５０３及びメモ用紙収納部５０１を露出させる第２位置とを取り得るように配設されたカバー部材１０４と、通話機収納部１０３を使用者の腕４０に装着するための装着部材１０２とを備えている。カバー部材１０４を開いて携帯電話１０を取り出し、携帯電話１０をカバー部材１０４とともに手で把持して通話を行うと共に、ペン２０を用いて、開口部５０２を介してメモ用紙３０にメモをとる。【選択図】  図７
2007329536.tif 000002
【特許請求の範囲】
【請求項１】
携帯型通話機を出し入れするための開口部を有し前記携帯型通話機を収納するための通話機収納部と、前記通話機収納部と一体的に構成されメモ用紙を露出した状態で収納するためのメモ用紙収納部と、前記開口部及びメモ用紙収納部を覆う第１の位置と前記開口部及びメモ用紙収納部を露出させる第２の位置とを取り得るように設けられたカバー部材と、前記通話機収納部及びメモ用紙収納部を腕に装着するための装着部材とを備えて成ることを特徴とする腕装着用通話機収納ケース。
【請求項２】
前記通話機収納部と一体的に設けられた筆記具収納部を備えて成ることを特徴とする請求項１記載の腕装着用通話機収納ケース。
【請求項３】
前記カバー部材は、幅狭部を有することを特徴とする請求項１又は２記載の腕装着用通話機収納ケース。
【請求項４】
前記通話機収納部は、その側面部が伸縮自在な伸縮部材によって構成されて成ることを特徴とする請求項１乃至３のいずれか一に記載の腕装着用通話機収納ケース。
【請求項５】
前記通話機収納部に一体的に設けられた第１の面ファスナ部材と、前記カバー部材に一体的に設けられた第２の面ファスナ部材とを有し、
前記第１の面ファスナ部材と前記第２の面ファスナ部材とを互いに貼り付けることによって、前記カバー部材は前記第１位置に配設され、
前記第１の面ファスナ部材と前記第２の面ファスナ部材とを互いに剥がすことによって、前記カバー部材は前記第２位置に配設可能に構成されて成ることを特徴とする請求項１乃至４のいずれか一に記載の腕装着用通話機収納ケース。
【発明の詳細な説明】
【技術分野】
【０００１】
本発明は、携帯電話やＰＨＳ（Personal Handyphone System）等の携帯型通話機を収納して腕に装着する腕装着用通話機収納ケースに関する。
【背景技術】
【０００２】
従来から、携帯電話やＰＨＳ等の携帯型通話機が使用されている。例えば、携帯電話を携帯する場合、ジャケット等の衣服のポケットに収納して携帯したり、カバンに収納して携帯したり、あるいは、特許文献１記載の発明のように、携帯電話を収納するための収納ケースを腰のベルトに装着し、前記収納ケースに収納して携帯する等が行われている。
【０００３】
ところで、携帯電話によって通話を行う場合、同時にメモをとりたい場合が生じることがある。
机についた状態等の屋内で通話を行える状態等の場合には、一方の手で携帯電話を保持して通話を行うと共に、机等の台にメモ用紙を置いた状態で、他方の手で容易にメモをとることが可能である。
しかしながら、歩行中に電話がかかってきた場合や、歩行中等に電話をかけざるを得ない場合等、屋外等で電話をせざるを得ないときがある。
【０００４】
このようなときにメモをとる必要がある場合、一方の手で携帯電話を保持して通話を行うと共に、他方の手で胸ポケット等から筆記具とメモ用紙を取り出してメモをとることになる。
この場合、筆記具やメモ用紙を取り出すのに時間がかかったり、メモ用紙を固定して保持する場所を直ぐに確保することはできず、速やかにメモを取るのは困難という問題がある。
【０００５】
【特許文献１】特開２００１−３４０１２１号公報
【発明の開示】
【発明が解決しようとする課題】
【０００６】
本発明は、屋外等のメモをとり難い場所で通話をせざるを得ない場合等でも、携帯型通話機によって通話しながら容易にメモをとれるようにすることを課題としている。
【課題を解決するための手段】
【０００７】
本発明によれば、携帯型通話機を出し入れするための開口部を有し前記携帯型通話機を収納するための通話機収納部と、前記通話機収納部と一体的に構成されメモ用紙を露出した状態で収納するためのメモ用紙収納部と、前記開口部及びメモ用紙収納部を覆う第１の位置と前記開口部及びメモ用紙収納部を露出させる第２の位置とを取り得るように設けられたカバー部材と、前記通話機収納部及びメモ用紙収納部を腕に装着するための装着部材とを備えて成ることを特徴とする腕装着用通話機収納ケースが提供される。
装着部材によって、通話機収納部及びメモ用紙収納部を腕に装着し、カバー部材を、開口部及びメモ用紙収納部を覆う第１の位置から、前記開口部及びメモ用紙収納部を露出させる第２の位置に移動させた状態で、前記通話機収納部から携帯型通話機を取り出して通話を行うと共に、筆記具を用いて、メモ用紙収納部に収納したメモ用紙にメモをとる。
【０００８】
ここで、前記通話機収納部と一体的に設けられた筆記具収納部を備えて成ることを特徴とする請求項１記載の腕装着用通話機収納ケース。
また、前記カバー部材は、幅狭部を有するように構成してもよい。
また、前記通話機収納部は、その側面部が伸縮自在な伸縮部材によって構成されて成るように構成してもよい。
【０００９】
また、前記通話機収納部に一体的に設けられた第１の面ファスナ部材と、前記カバー部材に一体的に設けられた第２の面ファスナ部材とを有し、前記第１の面ファスナ部材と前記第２の面ファスナ部材とを互いに貼り付けることによって、前記カバー部材は前記第１位置に配設され、前記第１の面ファスナ部材と前記第２の面ファスナ部材とを互いに剥がすことによって、前記カバー部材は前記第２位置に配設可能に構成されて成るように構成してもよい。
【発明の効果】
【００１０】
本発明によれば、屋外を歩行中に着信があった場合等のようなメモをとるのに悪い環境下でも、携帯型通話機を使用して通話しながら容易にメモをとることが可能になる。
【発明を実施するための最良の形態】
【００１１】
以下、本発明の実施の形態に係る腕装着用通話機収納ケースについて説明する。
図１は、本発明の実施の形態に係る腕装着用通話機収納ケースの正面図で、通話機収納部を閉じると共に装着ベルトを展開した状態の図である。
図２は、本発明の実施の形態に係る腕装着用通話機収納ケースの背面図で、通話機収納部を閉じると共に装着ベルトを展開した状態の図である。
【００１２】
図３は、本発明の実施の形態に係る腕装着用通話機収納ケースの右側面図で、通話機収納部を閉じると共に装着ベルトを装着状態にした図である。
図４は、本発明の実施の形態に係る腕装着用通話機収納ケースの左側面図で、通話機収納部を閉じると共に装着ベルトを装着状態にした図である。
図５は、本発明の実施の形態に係る腕装着用通話機収納ケースの正面図で、通話機収納部を開くと共に装着ベルトを展開した状態の図である。
尚、前記各図において、同一部分には同一符号を付している。また、他の部材に隠れて見えない部分については、携帯電話１０は大破線、メモ用紙３０は小破線、ペン２０は２点鎖線によって示している。
【００１３】
図１〜図５において、腕装着用通話機収納ケース１００は、少なくとも携帯型通話機を収納するための収納ケース本体１０１と、収納ケース本体１０１を使用者の腕に装着するための装着部材１０２とを備えている。
収納ケース本体１０１は、その上部に携帯型通話機（本実施の形態では携帯電話）１０を出し入れするための携帯型通話機出し入れ用の開口部５０３を有し携帯電話１０を収納するための通話機収納部１０３と、通話機収納部１０３と一体的に構成され筆記具（本実施の形態ではペン）２０を収納するための筆記具収納部１０６を備えている。収納ケース本体１０１、通話機収納部１０３、筆記具収納部１０６は、略長方形状に形成されている。
【００１４】
尚、一体的とは、同一の部材によって一体に形成している場合、異なる部材を接着や縫合等の方法によって一体に形成されている場合、あるいは、相互に取り外し可能な状態で連結している場合のいずれでもよく、以下においても同様である。
収納ケース本体１０１の通話機収納部１０３の下端部には、第１の面ファスナ部材（例えば、ベルクロテープ）２０１が一体的に設けられている。
【００１５】
収納ケース本体１０１にはカバー部材１０４が一体的に形成されている。収納ケース本体１０１の通話機収納部１０３の上端部に設けられた開口部５０３の近傍に、カバー部材１０４の一端部が一体的に形成されている。カバー部材１０４の他端部に設けられた操作部１０５には、面ファスナ部材２０１に対して着脱自在に構成された第２の面ファスナ部材（例えば、ベルクロテープ）２０２が取り付けられている。面ファスナ部材２０１、２０２は、カバー部材１０４を通話機収納部１０３に着脱するための着脱部材を構成している。
【００１６】
カバー部材１０４の中央部には、両側部に、１対のくびれ部１１２、１１３が設けられており、これによってカバー部材１０４の中央部には、他の部分よりも幅（横方向の長さ）が狭い幅狭部１１４が形成されている。カバー部材１０４の基本的な幅は、通話機収納部１０３に収納可能な携帯電話１０の幅以上の幅に構成されているが、幅狭部１１４は携帯電話１０の幅よりも狭く構成されている。これにより、携帯電話１０を握りやすくなるように構成されている。
【００１７】
収納ケース本体１０１の前面側には、その上部側にメモ用紙３０を挿入するためのメモ用紙出し入れ用開口部５０４を有すると共に、その前面側にメモ用紙３０を露出させるためのメモ用紙露出用開口部５０２を有し、メモ用紙３０のメモ記載用領域をメモ用紙露出用開口部５０２から露出した状態で収納するメモ用紙収納部５０１が一体的に形成されている。収納ケース本体１０１の前面側及びメモ用紙収納部５０１の少なくとも一方は、メモ書きをする際の台として機能するように一定の堅さを有している。
【００１８】
収納ケース本体１０１の一方の側面部１１１は伸縮可能な伸縮部材によって構成されている。通話機収納部１０３内に携帯電話１０を収納した状態で、側面部１１１が通話機収納部１０３の厚みを薄くする方向に収縮することにより、通話機収納部１０３が携帯電話１０を挟持し、携帯電話１０が通話機収納部１０３内で移動したり、通話機収納部１０３から脱落することを防止できる。
尚、側面部１１１に対向して配設されている他方の側面部（筆記具収納部１０６が取り付けられている側面部）を伸縮部材によって構成するようにしてもよい。前記一方の側面部１１１及び前記他方の側面部の少なくとも一方を伸縮部材によって構成するようにしてもよい。
【００１９】
収納ケース本体１０１の前記他方の側面部側には、ペン２０等の筆記具を収納するための筆記具収納部１０６が一体的に設けられている。本実施の形態に係る腕装着用通話機収納ケース１００は右利き用であるため、図１の正面図において、使用時に、筆記具収納部１０６が通話機収納部１０３の右側に位置するように構成されている。
左利き用の腕装着用通話機収納ケース１００の場合には、正面図において、使用時に、筆記具収納部１０６が通話機収納部１０３の左側に位置するように構成される。即ち、筆記具収納部１０６は、側面部１１１側に取り付けられた構成となる。
【００２０】
操作部１０５を摘んで、カバー部材１０４の操作部１０５に設けられた面ファスナ部材２０２を、通話機収納部１０３の下端部に設けられた面ファスナ部材２０１に押し付けて互いに貼り付けることにより、カバー部材１０４は第１の位置に位置することになる。前記第１の位置は、カバー部材１０４が収納ケース本体１０１の携帯型通話機出し入れ用開口部５０３及びメモ用紙収納部５０１を被う位置である。カバー部材１０４は、前記第１の位置に配設されることにより、開口部５０３を被うと共に、メモ用紙収納部５０１から露出するメモ用紙３０を被って保護する。
【００２１】
また、操作部１０５を摘んで、面ファスナ部材２０２と面ファスナ部材２０１を互いに剥がすことによって、カバー部材１０４は、通話機収納部１０３の携帯型通話機出し入れ用開口部５０３及びメモ用紙収納部５０１を露出させ得る第２の位置に配設することが可能になる。カバー部材１０４が前記第２の位置に配設されると、携帯型通話機出し入れ用開口部５０３から携帯電話１０を取り出し可能になり又、メモ用紙３０のメモ記載領域に、メモ用紙露出用開口部５０２を通してメモ書きが可能になる。
【００２２】
このように、カバー部材１０４は、通話機収納部１０３と一体的に設けられ前記開口部５０３及びメモ用紙収納部５０１を覆う第１位置と、前記開口部５０３及びメモ用紙収納部５０１を露出させる第２位置とを選択的に取り得るように設けられている。
装着部材１０２は、接着部材による接着、糸による縫合、あるいは、収納ケース本体１０１に貫通孔を設け該貫通孔を通して着脱自在に装着する等の方法によって、収納ケース本体１０１の背面に、収納ケース本体１０１と一体的に構成されている。装着部１０２は、バックル部１０８及びベルト部１０７を有しており、バックル部１０８は、係合ピン１０９を有している。また、ベルト部１０７は、係合ピン１０９を挿入することによって装着部材１０２を環状にして収納ケース本体１０１を腕へ装着するための複数の貫通孔１１０を有している。
【００２３】
次に、腕装着用通話機収納ケース１００の使用方法について説明する。
図６及び図７は、腕装着用通話機収納ケース１００の使用方法を示す図で、図６は使用者の左腕４０に腕装着用通話機収納ケース１００を装着した状態、図７は腕装着用通話機収納ケース１００から携帯電話１０を取り出して使用者の左腕４０に把持すると共に、ペン２０を用いてメモ用紙３０にメモ書きをする状態を示す説明図である。尚、図６及び図７において、図１〜図５と同一部分には同一符号を付している。
【００２４】
腕装着用通話機収納ケース１００を使用者の腕４０に装着する場合、図１及び図２に示すように装着部１０２を展開した状態で、収納ケース本体１０１の背面及び装着部１０２を腕４０に押し当てる。次に、バックル部１０８の係合ピン１０９を貫通孔１１０に係合させることによって、装着部１０２を腕４０に巻き付ける（図３、図４参照）。これにより、図６に示すように、装着部１０２によって腕装着用通話機収納ケース１００を使用者の腕（例えば、利き腕ではない方の腕）４０に装着する。このとき、筆記具収納部１０６が小指側に位置するように装着する。
【００２５】
この状態で、携帯電話１０を使用する場合、使用者は右手を使用して操作部１０５を摘んで、面ファスナ部材２０２を面ファスナ部材２０１から剥がすことによって、カバー部材１０４を開いて、開口部５０３及びメモ用紙３０を露出させる（図５参照）。
次に、図７に示すように、開口部５０３を介して通話機収納部１０３から携帯電話１０を取り出し、携帯電話１０を使用可能な状態（折り畳み型携帯電話の場合は開いた状態）にしてカバー部材１０４とともに、左手によって把持する。
【００２６】
このとき、カバー部材１０４の内面側と携帯電話１０の背面側が当接した状態でともに左手によって把持されることになるが、カバー部材１０４には、幅狭部１１４が設けられており、携帯電話１０の両側部が幅狭部１１４から突出する。換言すれば、カバー部材１０４の両側部にはくびれ部１１２、１１３が設けられており、携帯電話１０の両側部が、くびれ部１１２、１１３から突出する。したがって、携帯電話１０の両側部を、カバー部材１０４とともに直接手で把持できるため、携帯電話１０を確実且つ容易に把持できることになる。したがって、携帯電話１０の操作がしやすくなると共に、携帯電話１０を誤って落下させる等の事故を防止することが可能になる。
【００２７】
この状態でメモをとる場合には、右手でペン２０を筆記具収納部１０６から取り出して把持し、メモ用紙露出用開口部５０２を介してメモ用紙３０のメモ記載用領域にメモ書きをする。これにより、携帯電話１０によって通話を行いながら、メモ用紙収納部５０１を台として使用して、メモ用紙３０に必要なメモを容易にとることが可能になる。メモ用紙収納部５０１には、複数のメモ用紙３０が重ねて収納されるため、最上部のメモ用紙３０にメモ書きが終了した場合、当該メモ用紙を開口部５０４から取り出すことによって、その下の新たなメモ用紙３０を露出させ、当該メモ用紙に新たなメモ書きを行うことができる。
【００２８】
携帯電話１０による通話やメモ書きが終了した後、携帯電話１０を収納可能な状態（折り畳み型携帯電話の場合は折り畳んだ状態）にして、開口部５０３を介して通話機収納部１０３に収納し、カバー部材１０４により開口部５０３及びメモ用紙収納部５０１を被った状態で、カバー部材１０４の面ファスナ部材２０２を面ファスナ部材２０１に貼り付けて、操作を終了する。
メモ用紙３０を補充する場合には、カバー部材１０４を開いた状態で、メモ用紙出し入れ用の開口部５０４を介してメモ用紙収納部５０１にメモ用紙３０を補充する。これにより、多くのメモをとることが可能になる。
【００２９】
以上述べたように本発明の実施の形態に係る腕装着用通話機収納ケースによれば、携帯電話１０を収納するための通話機収納部１０３と、メモ用紙３０を露出可能な状態で収納するためのメモ用紙収納部５０１とを一体的に構成すると共に、装着部材１０２によって一方の腕４０に装着して使用するようにしているため、携帯電話１０によって通話を行いながら、メモ用紙３０に容易にメモをとることが可能になるという効果を奏する。
【００３０】
尚、前記実施の形態では、携帯型通話機として携帯電話１０の例で説明したが、ＰＨＳ等の携帯型通話機でもよい。
また、前記実施の形態では、装着部材１０２はバックル部１０８によって装着するように構成したが、面ファスナ部材等の他の装着部材を用いるように構成してもよい。
また、通話機収納部１０３に対して筆記具収納部１０６を一体的に設けるように構成したが、筆記具収納部１０６は設けずに、胸ポケット等に収納したペン等を使用するようにしてもよい。
また、収納ケース本体１０１や装着部材１０２を形成するための材料としては、皮革、合成皮革、布、化学繊維等の各種の材料を使用することが可能であり、これらを一体的に構成することによって腕装着用通話機収納ケース１００を構成することができる。
【００３１】
また、前記実施の形態では、装着部材１０２は、幅広のベルト１０７及びバックル部１０８を有する構成としたが、幅狭のベルト及びバックル部を有する幅狭の装着部材を収納ケース本体１０１の下部側に一体的に取り付けると共に収納ケース本体１０１の上部側にフック部材を一体的に設けるように構成してもよい。この場合、幅狭の装着部及び前記フックが装着部を構成することになる。
【００３２】
このように構成された腕装着用通話機収納ケースを使用する場合、前記幅狭の装着部材によって収納ケース本体１０１の下部を腕４０に装着すると共に、腕４０に装着した腕時計のバンドに前記フックを係合させることによって収納ケース本体１０１の上部を腕４０に装着することになる。
【産業上の利用可能性】
【００３３】
携帯電話のみならずＰＨＳ等の携帯型通話機を収納して使用する腕装着用通話機収納ケースに適用可能である。
【図面の簡単な説明】
【００３４】
【図１】本発明の実施の形態に係る腕装着用通話機収納ケースの正面図で、通話機収納部を閉じると共に装着ベルトを展開した状態の図である。
【図２】本発明の実施の形態に係る腕装着用通話機収納ケースの背面図で、通話機収納部を閉じると共に装着ベルトを展開した状態の図である。
【図３】本発明の実施の形態に係る腕装着用通話機収納ケースの右側面図で、通話機収納部を閉じると共に装着ベルトを装着状態にした図である。
【図４】本発明の実施の形態に係る腕装着用通話機収納ケースの左側面図で、通話機収納部を閉じると共に装着ベルトを装着状態にした図である。
【図５】本発明の実施の形態に係る腕装着用通話機収納ケースの正面図で、通話機収納部を開くと共に装着ベルトを展開した状態の図である。
【図６】本発明の実施の形態に係る腕装着用通話機収納ケースの使用方法を示す図である。
【図７】本発明の実施の形態に係る腕装着用通話機収納ケースの使用方法を示す図である。
【符号の説明】
【００３５】
１０・・・携帯型通話機である携帯電話
２０・・・筆記具であるペン
３０・・・メモ用紙
１００・・・腕装着用通話機収納ケース
１０１・・・収納ケース本体
１０２・・・装着部材
１０３・・・通話機収納部
１０４・・・カバー部材
１０５・・・操作部
１０６・・・筆記具収納部
１０７・・・ベルト部
１０８・・・バックル部
１０９・・・係合ピン
１１０・・・貫通孔
１１１・・・側面部
１１２、１１３・・・くびれ部
１１４・・・幅狭部
２０１、２０２・・・着脱部材を構成する面ファスナ部材
５０１・・・メモ用紙収納部
５０２、５０３、５０４・・・開口部
【図１】
2007329536.tif 000003
【図２】
2007329536.tif 000004
【図３】
2007329536.tif 000005
【図４】
2007329536.tif 000006
【図５】
2007329536.tif 000007
【図６】
2007329536.tif 000008
【図７】
2007329536.tif 000009